【事件の表示】
　特許第３１１５８７４号「乗用田植機における植付部伝動構造」の請求項１に係る特許に対する特許異議の申立てについて、次のとおり決定する。
【結　論】
　訂正を認める。
　特許第３１１５８７４号の請求項１に係る特許を維持する。
【理　由】
１．手続きの経緯
　本件特許第３１１５８７４号発明は、平成１年３月３１日に出願された特願平１−８３１４４号出願の一部を分割して平成１１年８月９日に出願された特願平１１−２２５７１３号出願の一部を更に分割して平成１１年８月３１日に出願された特願平１１−２４６２８３号出願の一部を更に分割して平成１１年９月２９日に出願され、平成１２年９月２９日にその特許の設定登録がなされ、その後、新穂友志より請求項１に係る発明について特許異議の申立てがなされ、取消理由通知がなされ、その指定期間内である平成１４年１月４日に訂正請求がなされ、再度の取消理由通知がなされ、その指定期間内である平成１４年４月１５日に訂正請求がなされると共に前回の訂正請求が取り下げられ、再々度の取消理由通知がなされ、その指定期間内である平成１４年１１月２５日に訂正請求がなされると共に前回の訂正請求が取り下げられたものである。
　
２．訂正の適否についての判断
（１）訂正の内容
　特許権者が求めている訂正の内容は以下のとおりである（記載中、下線は訂正箇所を示す）。
　１）訂正事項ａ
　特許請求の範囲を次に訂正する。
「【請求項１】苗載台（３３）に載置された苗を同苗載台（３３）の下端部から植付機構部（３４）で取り出して圃場に植付ける作動を行うと共に、この植付け作動時に横送り機構で苗載台（３３）を横方向に往復作動させ、この作動によって苗載台（３３）が横移動ストロークエンドに達する毎に縦送り装置で苗載台（３３）に載置された苗を所定量ずつ下端側に向けて送る作動を行うよう植付部（Ｃ）が構成されている乗用田植機であって、前記植付部（Ｃ）に備えた
植付伝動軸（５７）を連結した植付駆動ケース（２２）の一側壁より横送りネジ（４６）を横一側外方へ突出状態に伸延させて配置し、
植付駆動ケース（２２）の一側壁より縦送りカム軸（５１）を横送りネジ（４６）と同一外側方へ突出状態に伸延させて配置し、この縦送りカム軸（５１）の一側を、前記植付駆動ケース（２２）内にその両端を回転自在に支持した縦送り軸（４８）の一端に連結継手（５０−１）（５０−２）を介して連動連結することにより植付駆動ケース（２２）に軸支させると共に、前記縦送りカム軸（５１）の横一側外方への延出端を、植村伝動軸（５７）に連結継手（５６）を介して連結した植付駆動スプロケット（５４）を回動自在に軸支する植村駆動ケース（２２）に連結され、かつ、植付機構部（３４）に連設された連結パイプ（７１）を介して軸支させ、
　２）訂正事項ｂ
　明細書段落【０００４】を次に訂正する。
「【課題を解決するための手段】そこで、本発明では、苗載台に載置された苗を同苗載台の下端部から植付機構部で取り出して圃場に植付ける作動を行うと共に、この植付け作動時に横送り機構で苗載台を横方向に往復作動させ、この作動によって苗載台が横移動ストロークエンドに達する毎に縦送り装置で苗載台に載置された苗を所定量ずつ下端側に向けて送る作動を行うよう植付部が構成されている乗用田植機であって、前記植付部に備えた
植付伝動軸を連結した植付駆動ケースの一側壁より横送りネジを横一側外方へ突出状態に伸延させて配置し、
植付駆動ケースの一側壁より縦送りカム軸を横送りネジと同一外側方へ突出状態に伸延させて配置し、この縦送りカム軸の一側を、前記植付駆動ケース内にその両端を回転自在に支持した縦送り軸の一端に連結継手を介して連動連結することにより植付駆動ケースに軸支させると共に、前記縦送りカム軸の横一側外方への延出端を、植村伝動軸に連結継手を介して連結した植付駆動スプロケットを回動自在に軸支する植村駆動ケースに連結され、かつ、植付機構部に連設された連結パイプを介して軸支させ、
　３）訂正事項ｃ
　明細書段落【００５６】を次に訂正する。
「【効果】本発明によれば、次のような効果が得られる。すなわち、本発明では、植付駆動ケースに、苗載台を左右方向に往復横移動させる横送りネジと、苗載台に設けた縦送り装置を縦送り駆動する縦送りカム軸とを連動連結しているため、横送りネジや縦送りカム軸を植付駆動ケースに内装しているものに比して、同植付駆動ケースの小型化が図れる。しかも、横送りネジと縦送りカム軸は、
植付伝動軸を連結した
同一側壁
　
また、本発明によれば、植付伝動軸を植付駆動ケースに連結継手を介して連結しているため、植付機構部を植付駆動ケースに容易に着脱することができ、植付機構部の植付駆動ケースへの組付け・取り外し作業を容易なものとすることができる。
　
（２）訂正の目的、新規事項の有無、拡張変更の存否の各要件についての判断
　１）訂正事項ａについて
　本訂正は、植付動力を伝動するためには植付駆動ケースに植付伝動軸が連結されていることについて、横送りネジが植付駆動ケースの一側壁より横一側外方へ突出状態に伸延させて配置されていることについて、縦送りカム軸が植付駆動ケースの一側壁より横送りネジと同一外側方へ突出状態に伸延させて配置されていることについて、及び縦送りカム軸の両端の具体的な支持手段について、願書に添付した明細書又は図面に記載した事項（特に、明細書段落００１７，００２２，００２５，００２６，００２８，００２９，００３０，００３５及び図２，３等参照）の範囲内で限定するものであり、特許請求の範囲の減縮を目的とし、新規事項の追加に該当せず、実質上特許請求の範囲を拡張し又は変更するものでもない。
　２）訂正事項ｂ，ｃについて
　これらの訂正は、訂正された特許請求の範囲に発明の詳細な説明の記載を整合させるためのものであり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、及び第２項及び第３項の規定に適合するので、当該訂正を認める
　
３．異議申立てについての判断
（１）異議申立ての概要
　異議申立人新穂友志は、甲第１乃至８号証及び資料１を提出し、本件請求項１に係る発明は、（Ａ）甲第１号証に記載された発明であり、あるいは甲第１，２号証に記載された発明に基づいて当業者が容易に発明をすることができたものであって、特許法第２９条第１項第３号に規定する発明に該当し、あるいは特許法第２９条第２項の規定により特許を受けることができないから、その特許は拒絶の査定をしなければならない特許出願に対してされたものである旨主張し、又、（Ｂ）出願が適法に分割されたものとはいえず、その出願日は平成１１年９月２９日となり、甲第８号証と甲第１，３号証又は甲第５号証に記載された発明に基づいて当業者が容易に発明をすることができたものであるから、その特許は特許法第２９条第２項の規定に違反してされたものである旨主張している。
　
（２）分割の適否（申立理由Ｂ）について
　申立人が申立理由Ｂで主張する分割不適法の理由は、本件請求項１記載中の「連結パイプと横送りネジとの間に前記縦送りカム軸を配置している」点が、本件の直接の分割の元となる特願平１１−２４６２８３号の出願明細書（甲第７号証（特開２０００−７８９１８号公報）参照、以下、「原明細書」という）に文章として記載されておらず、図面にも記載されていないというにある。
　また、申立人は甲第５号証（実開昭５７−２０３７２０号公報）を引き合いに出し、機構図（メカニズム図）とレイアウトとは直接的な対応関係にないともしている。
　そこで検討するに、原明細書の図２には縦送りカム軸５１が連結パイプ７１と横送りネジ４６との間に記載されている。
　一般論として、このような模式図による機構図とレイアウトとは直接的な対応関係にあるとは必ずしもいえないが、図１の記載を合わせみれば、図２は苗載台３３の載置面方向からみた図ということができ、説明のための模式図であることから寸法的には不正確であるとしても、配置的に横送りネジ４６と縦送りカム軸５１と連結パイプ７１とはこの順で並んでいるといえ、むしろ、それ以外の配置になっているとみるのは明細書及び図面の記載全体からみて不自然である。
　申立人が引き合いに出した甲第５号証においても、その第３図は苗載台１６の断面が示されていることから該断面方向からみた図ということができ、寸法的な不正確さはあるものの、第３図における縦送駆動軸３０と横送軸２５と連結パイプ（符号１２で示すもの）の配置は第４図の記載と対応しているものである。
　これらのことからみて、上記の点は原明細書に記載されていたとみるべきであり、本件の出願は適法に分割されたものであるから、申立理由Ｂは理由がなく採用できない。
　
　以下、申立理由Ａについて検討する。
　
（３）本件請求項１に係る発明
　本件請求項１に係る発明（以下、「本件発明」という）は、訂正明細書の特許請求の範囲の請求項１に記載されたとおりのものである（上記訂正事項ａ参照）。
　
（４）甲各号証とその記載事項
　甲各号証とその記載事項は次のとおりである。
　１）甲第１号証：実願昭６２−３４３３４号（実開昭６３−１４０８１９号）のマイクロフイルム
　苗載台２２に載置された苗を同苗載台の下端部から植付機構部で取り出して圃場に植付ける作動を行うと共に、この植付け作動時に横送り機構で苗載台２２を横方向に往復作動させ、この作動によって苗載台２２が横移動ストロークエンドに達する毎に縦送り装置で苗載台２２に載置された苗を所定量ずつ下端側に向けて送る作動を行うよう植付部が構成されている乗用田植機であって、前記植付部に備えた伝動軸４２（植付伝動軸）を連結した伝動ケース１６（植付駆動ケース）の一側壁より横送軸４３（横送りネジ）を横一側外方へ突出状態に伸延させて配置し、この横送軸４３に形成された往復ねじ溝４６（往復螺旋溝）に対して苗載台２２に固定された船型キー４７（コマ受け部材）を係合させることで横送軸４３の回転により苗載台２２を横方向に往復移動させるよう前記横送り機構を構成し、縦送り装置を縦送り駆動する軸５３（縦送りカム軸）を伝動ケース１６の両側壁より両外側方へ突出させて配置し、この軸５３を前記伝動ケース１６内を貫通させて回転自在に軸支させると共に、伝動軸４２に連結継手を介して連結したスプロケットを回動自在に軸支する伝動ケース１６に一側において中央植付伝動ケース１７を介して間接的に又他側において直接的に連結され、かつ、植付機構部に連設された連結パイプ１８を備え、苗載台２２が横移動ストロークエンドに達する毎に、この軸５３に取付けた送りカム５４（縦送りカム）を苗載台２２に設けた操作部材に接当させて前記縦送り装置を駆動するよう構成し、又、伝動ケース１６に連結する横長姿勢の連結パイプ１８と前記横送軸４３とを互いに平行姿勢に配置していることを特徴とする乗用田植機における植付部伝動構造、等が記載されている。
　２）甲第２号証：特開昭６２−１１１６０９号公報
　歩行用田植機において、伝動ケース１５ａの同一側に、横送り軸１５と、端部に縦送り爪１８を設け、かつ、ギアケース１１と連結パイプとを貫通する作動軸１２とを配すること等が記載されている。
　３）甲第３号証：特開昭６３−１７７７２４号公報
　乗用田植機において、それぞれ平行且つ横長姿勢の螺旋軸１７と縦送軸１３と連結パイプ（中間軸１０を囲むもの）とをこの順に配置すること等が記載されている。
　４）甲第４号証：特公昭４８−６８４８号公報
　歩行用田植機において、副ミッションケース８の一側のみから外方へ、縦送り用の突起杆３４を２個備えた横送り用の送り竿３０を伸延すること等が記載されている。
　５）甲第５号証：実開昭５７−２０３７２０号公報
　乗用田植機において、伝動ケース１１の一側のみから横送軸２５と相対する側の外側方へ、ホロアカム３１を２個備えた縦送駆動軸３０を伸延し、その延出端を、植付伝動軸（符号３５で示すもの）に連結継手を介して連結した植付駆動スプロケット（符号３８で示すもの）を回動自在に軸支する伝動ケース１１に連結され、かつ、植付機構部に連設された連結パイプ（符号１２で示すもの）を介して軸支すること、及びそれぞれ平行且つ横長姿勢の横送軸２５と縦送駆動軸３０と連結パイプ１２とをこの順に配置すること等が記載されている。
　６）甲第６号証：実開昭６１−１７０２２２号公報
　乗用田植機において、植付駆動ケース（横送りネジ（符号２３で示すもの）などを内包するケース）の一側のみから横送りネジと相対する側の外側方へ縦送りカム軸（符号２７で示すもの）を伸延すること等が記載されている。
　
　なお、当審が通知した取消理由で新たに採用した証拠は、上記甲第５号証に係る出願（実願昭５６−９０９７１号）のマイクロフイルムである。
　また、甲第７号証（特開２０００−７８９１８号公報）と甲第８号証（特開平２−２６１３０７号公報）は上記申立理由Ｂが採用できないことから公知文献とはいえず、資料１（特開２０００−７８９２０号公報）は本件発明に係る公開公報である。
　
（５）対比・判断
　本件発明（前者）と甲第１号証に記載された発明（後者）とを対比するに、後者の、「伝動軸４２」、「伝動ケース１６」、「横送軸４３」、「往復ねじ溝４６」、「船型キー４７」、「軸５３」、「送りカム５４」は、それぞれ、前者の、「植付伝動軸」、「植付駆動ケース」、「横送りネジ」、「往復螺旋溝」、「コマ受け部材」、「縦送りカム軸」、「縦送りカム」に対応するから、両者は、「苗載台に載置された苗を同苗載台の下端部から植付機構部で取り出して圃場に植付ける作動を行うと共に、この植付け作動時に横送り機構で苗載台を横方向に往復作動させ、この作動によって苗載台が横移動ストロークエンドに達する毎に縦送り装置で苗載台に載置された苗を所定量ずつ下端側に向けて送る作動を行うよう植付部が構成されている乗用田植機であって、前記植付部に備えた植付伝動軸を連結した植付駆動ケースの一側壁より横送りネジを横一側外方へ突出状態に伸延させて配置し、この横送りネジに形成された往復螺旋溝に対して苗載台に固定されたコマ受け部材を係合させることで横送りネジの回転により苗載台を横方向に往復移動させるよう前記横送り機構を構成し、苗載台が横移動ストロークエンドに達する毎に、縦送りカム軸に取付けた縦送りカムを苗載台に設けた操作部材に接当させて前記縦送り装置を駆動するよう構成し、又、値付駆動ケースに連結する横長姿勢の連結パイプと前記横送りネジとを互いに平行姿勢に配置していることを特徴とする乗用田植機における植付部伝動構造。」において一致し、次の点で相違する。
　＜相違点＞前者が、縦送りカム軸の配置については、横送りネジの配設側の植付駆動ケースの一側壁より横送りネジと同一外側方へ突出状態に伸延させて配置し、縦送りカム軸の支持については、縦送りカム軸の一側を、植付駆動ケース内にその両端を回転自在に支持した縦送り軸の一端に連結継手を介して連動連結することにより植付駆動ケースに軸支させると共に、縦送りカム軸の横一側外方への延出端を、植村伝動軸に連結継手を介して連結した植付駆動スプロケットを回動自在に軸支する植村駆動ケースに連結され、かつ、植付機構部に連設された連結パイプを介して軸支させ、横送りネジと縦送りカム軸と連結パイプの配置関係については、連結パイプと横送りネジとの間に縦送りカム軸を配置しているのに対して、後者は、縦送りカム軸の配置については、縦送り装置を縦送り駆動する軸５３（縦送りカム軸）を伝動ケース１６（植付駆動ケース）の両側壁より両外側方へ突出させて配置し、縦送りカム軸の支持については、軸５３（縦送りカム軸）を伝動ケース１６（植付駆動ケース）内を貫通させて回転自在に軸支させており、伝動軸４２（植付伝動軸）に連結継手を介して連結したスプロケット（植付駆動スプロケット）を回動自在に軸支する伝動ケース１６（植付駆動ケース）に一側において中央植付伝動ケース１７を介して間接的に又他側において直接的に連結され、かつ、植付機構部に連設された連結パイプ１８を備えているが、この連結パイプ１８を介しては軸支しておらず、横送りネジと縦送りカム軸と連結パイプの配置関係については定かでない点。
　
　相違点について検討するに、縦送りカム軸を横送りネジの配設側の植付駆動ケースの一側壁より横送りネジと同一外側方へ突出状態に伸延させて配置することは、甲第１乃至６号証のいずれにも記載はないが、縦送りカム軸を植付駆動ケースの一側壁より横送りネジと相対する側の外側方へ突出状態に伸延させて配置することは甲第５，６号証に記載されている。
　また、縦送りカム軸の横一側外方への延出端を、植付伝動軸に連結継手を介して連結した植付駆動スプロケットを回動自在に軸支する植付駆動ケースに連結され、かつ、植付機構部に連設された連結パイプを介して軸支させることは甲第５号証に記載されている。
　さらに、連結パイプと横送りネジとの間に縦送りカム軸を配置することは甲第３，５号証に記載されている。
　これらの記載からみて、甲第１号証記載の発明においても、縦送りカム軸を、横送りネジの配設側の植付駆動ケースの一側壁より横送りネジと同一外側方へ突出状態に伸延させて配置することは容易であり、その上で、連結パイプと横送りネジとの間に縦送りカム軸を配置すること、及び、さらに中央植付伝動ケース１７を取り除けば、縦送りカム軸の延出端を、植付伝動軸に連結継手を介して連結した植付駆動スプロケットを回動自在に軸支する植付駆動ケースに連結され、かつ、植付機構部に連設された連結パイプを介して軸支させるようになすことは容易といえなくもない。
　しかしながら、縦送りカム軸の一側を、植付駆動ケース内にその両端を回転自在に支持した縦送り軸の一端に連結継手を介して連動連結することにより植付駆動ケースに軸支させることについては、甲第１乃至６号証に記載も示唆もなく、従来、植付駆動ケースの内部から外部へと延出している縦送りカム軸を、該内部と該外部とで連結自在な別体とすることが当業者において容易に想到し得ることであるとまではいえない。
　しかも、本件発明は、連結パイプを、植付伝動軸に連結継手を介して連結した植付駆動スプロケットを回動自在に軸支する植付駆動ケースに連結され、かつ、植付機構部に連設されたものとすることと、縦送りカム軸の一側を植付駆動ケース内にその両端を回転自在に支持した縦送り軸の一端に連結継手を介して連動連結することにより植付駆動ケースに軸支させること、及び、縦送りカム軸の横一側外方への延出端を該連結パイプを介して軸支させることとが相俟って、植付機構部の植付駆動ケースへの組付け・取り外し作業を縦送りカム軸を含めて容易にできるという格別の作用効果を奏するものである。
　したがって、本件発明は、甲第１号証に記載された発明であるとも、甲第１，２号証さらには甲第１乃至６号証に記載された発明に基づいて当業者が容易に発明をすることができたものであるともいえない。
　
４．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年１２月５日（２００２．１２．５）
【訂正の要旨】
訂正の要旨
　１）訂正事項ａ
　特許請求の範囲を、特許請求の範囲の減縮を目的として、次に訂正する。
「【請求項１】苗載台（３３）に載置された苗を同苗載台（３３）の下端部から植付機構部（３４）で取り出して圃場に植付ける作動を行うと共に、この植付け作動時に横送り機構で苗載台（３３）を横方向に往復作動させ、この作動によって苗載台（３３）が横移動ストロークエンドに達する毎に縦送り装置で苗載台（３３）に載置された苗を所定量ずつ下端側に向けて送る作動を行うよう植付部（Ｃ）が構成されている乗用田植機であって、前記植付部（Ｃ）に備えた
植付伝動軸（５７）を連結した植付駆動ケース（２２）の一側壁より横送りネジ（４６）を横一側外方へ突出状態に伸延させて配置し、
植付駆動ケース（２２）の一側壁より縦送りカム軸（５１）を横送りネジ（４６）と同一外側方へ突出状態に伸延させて配置し、この縦送りカム軸（５１）の一側を、前記植付駆動ケース（２２）内にその両端を回転自在に支持した縦送り軸（４８）の一端に連結継手（５０−１）（５０−２）を介して連動連結することにより植付駆動ケース（２２）に軸支させると共に、前記縦送りカム軸（５１）の横一側外方への延出端を、植村伝動軸（５７）に連結継手（５６）を介して連結した植付駆動スプロケット（５４）を回動自在に軸支する植村駆動ケース（２２）に連結され、かつ、植付機構部（３４）に連設された連結パイプ（７１）を介して軸支させ、
　２）訂正事項ｂ
　明細書段落【０００４】を、明りょうでない記載の釈明を目的として、次に訂正する。
「【課題を解決するための手段】そこで、本発明では、苗載台に載置された苗を同苗載台の下端部から植付機構部で取り出して圃場に植付ける作動を行うと共に、この植付け作動時に横送り機構で苗載台を横方向に往復作動させ、この作動によって苗載台が横移動ストロークエンドに達する毎に縦送り装置で苗載台に載置された苗を所定量ずつ下端側に向けて送る作動を行うよう植付部が構成されている乗用田植機であって、前記植付部に備えた
植付伝動軸を連結した植付駆動ケースの一側壁より横送りネジを横一側外方へ突出状態に伸延させて配置し、
植付駆動ケースの一側壁より縦送りカム軸を横送りネジと同一外側方へ突出状態に伸延させて配置し、この縦送りカム軸の一側を、前記植付駆動ケース内にその両端を回転自在に支持した縦送り軸の一端に連結継手を介して連動連結することにより植付駆動ケースに軸支させると共に、前記縦送りカム軸の横一側外方への延出端を、植村伝動軸に連結継手を介して連結した植付駆動スプロケットを回動自在に軸支する植村駆動ケースに連結され、かつ、植付機構部に連設された連結パイプを介して軸支させ、
　３）訂正事項ｃ
　明細書段落【００５６】を、明りょうでない記載の釈明を目的として、次に訂正する。
「【効果】本発明によれば、次のような効果が得られる。すなわち、本発明では、植付駆動ケースに、苗載台を左右方向に往復横移動させる横送りネジと、苗載台に設けた縦送り装置を縦送り駆動する縦送りカム軸とを連動連結しているため、横送りネジや縦送りカム軸を植付駆動ケースに内装しているものに比して、同植付駆動ケースの小型化が図れる。しかも、横送りネジと縦送りカム軸は、
植付伝動軸を連結した
同一側壁
　
また、本発明によれば、植付伝動軸を植付駆動ケースに連結継手を介して連結しているため、植付機構部を植付駆動ケースに容易に着脱することができ、植付機構部の植付駆動ケースへの組付け・取り外し作業を容易なものとすることができる。
（５４）【発明の名称】
乗用田植機における植付部伝動構造
（５７）【特許請求の範囲】
　【請求項１】　苗載台（３３）に載置された苗を同苗載台（３３）の下端部から植付機構部（３４）で取り出して圃場に植付ける作動を行うと共に、この植付け作動時に横送り機構で苗載台（３３）を横方向に往復作動させ、この作動によって苗載台（３３）が横移動ストロークエンドに達する毎に縦送り装置で苗載台（３３）に載置された苗を所定量ずつ下端側に向けて送る作動を行うよう植付部（Ｃ）が構成されている乗用田植機であって、前記植付部（Ｃ）に備えた
植付伝動軸（５７）を連結した植付駆動ケース２２の一側壁より横送りネジ（４６）を横一側外方へ突出状態に伸延させて配置し、
植付駆動ケース（２２）の一側壁より縦送りカム軸（５１）を横送りネジ（４６）と同一外側方へ突出状態に伸延させて配置し、この縦送りカム軸（５１）の一側を、前記植付駆動ケース（２２）内にその両端を回転自在に支持した縦送り軸（４８）の一端に連結継手（５０−１）（５０−２）を介して連動連結することにより植付駆動ケース（２２）に軸支させると共に、前記縦送りカム軸（５１）の横一側外方への延出端を、植付伝動軸（５７）に連結継手（５６）を介して連結した植付駆動スプロケット（５４）を回動自在に軸支する植付駆動ケース（２２）に連結され、かつ、植付機構部（３４）に連設された連結パイプ（７１）を介して軸支させ、
【発明の詳細な説明】
　【０００１】
　【産業上の利用分野】
　本発明は、乗用田植機における植付部伝動構造に関するものである。
　【０００２】
　【従来の技術】
　従来、乗用田植機における植付部伝動構造の一形態として、植付駆動ケースに、苗載台を左右方向に往復横移動させる横送りネジと、苗載台に設けた縦送り装置を縦送り駆動する縦送りカム軸とを内装したものや、横送りネジと縦送りカム軸とを植付駆動ケースから互いに反対方向に伸延させているものがある。
　【０００３】
　【発明が解決しようとする課題】
　ところが、上記した前者の植付部伝動構造では、横送りネジや縦送りカム軸を植付駆動ケースに内装しているために、同植付駆動ケースが大型化しているという不具合があり、また、後者の植付部伝動構造では、横送りネジと縦送りカム軸とを植付駆動ケースから互いに反対方向に伸延させているために、植付部伝動構造の組立性と加工性とに難がある。
　【０００４】
　【課題を解決するための手段】
　そこで、本発明では、苗載台に載置された苗を同苗載台の下端部から植付機構部で取り出して圃場に植付ける作動を行うと共に、この植付け作動時に横送り機構で苗載台を横方向に往復作動させ、この作動によって苗載台が横移動ストロークエンドに達する毎に縦送り装置で苗載台に載置された苗を所定量ずつ下端側に向けて送る作動を行うよう植付部が構成されている乗用田植機であって、前記植付部に備えた
植付伝動軸を連結した植付駆動ケースの一側壁より横送りネジを横一側外方へ突出状態に伸延させて配置し、
植付駆動ケースの一側壁より縦送りカム軸を横送りネジと同一外側方へ突出状態に伸延させて配置し、この縦送りカム軸の一側を、前記植付駆動ケース内にその両端を回転自在に支持した縦送り軸の一端に連結継手を介して連動連結することにより植付駆動ケースに軸支させると共に、前記縦送りカム軸の横一側外方への延出端を、植付伝動軸に連結継手を介して連結した植付駆動スプロケットを回動自在に軸支する植付駆動ケースに連結され、かつ、植付機構部に連設された連結パイプを介して軸支させ、
　【０００５】
　【実施例】
　本発明の実施例を図面にもとづき詳説すれば、第１図及び第２図において、（Ａ）は乗用田植機であり、自走可能な走行部（Ｂ）の後方に植付部（Ｃ）を昇降機構（Ｄ）を介して連結している。
　【０００６】
　走行部（Ｂ）は、機体前後方向に位置させたアッパーフレーム（１）の前方上部にエンジン（２）を搭載し、エンジン（２）の後部にはステアリングシャフト（３）を立設して上部にステアリングホイル（３−１）を装着している。（４）は、エンジン（２）及び燃料タンク（４−１）などの上部をカバーするボンネットである。
　【０００７】
　エンジン（２）の下部にはミッションケース（５）を位置させて、同ミッションケース（５）の左右両側にはフロントアクスルケース（６）を設けて、これに前車軸（７−１）を介して前車輪（７）を装着していると共に、機体後方にリヤアクスルケース（８）を位置させて同リヤアクスルケース（８）の左右両側には後車輪（９）を装着している。（１０）はフロントアクスルケース（６）とリヤアクスルケース（８）とに掛け渡し状に連結するロアーフレームで、前記アッパーフレーム（１）よりも下側に位置している。
　【０００８】
　また、リヤアクスルケース（８）はロアーフレーム（１０）の左右後端と連結されながら、ミッションケース（５）との間にプロペラシャフト（１９）を介して連動連結している。（２０）はリヤアクスルケースの両側に突設する後車軸である。
　【０００９】
　（２１）は、田植機の走行部（Ｂ）のミッションケース（５）と植付部（Ｃ）の植付駆動ケース（２２）とを連動連結する植付駆動軸である。そして、かかる植付駆動軸（２１）は、前部駆動軸（２１−１）と後部駆動軸（２１−２）とを自在継手（２１−３）を介して連動連結している。
　【００１０】
　また、後部駆動軸（２１−２）は、外管軸（２１−４）と内管軸（２１−５）をスプライン嵌合して伸縮自在に構成していると共に、同内管軸（２１−５）を植付駆動ケース（２２）に連動連結している。
　【００１１】
　したがって、上記植付駆動軸（２１）は、植付部（Ｃ）が上下昇降した際にも、後部駆動軸（２１−２）が自在継手（２１−３）を中心に上下回動すると共に伸縮作動して、走行部（Ｂ）のミッションケース（５）から植付部（Ｃ）の植付駆動ケース（２２）への動力伝達機能を確保することができるものである。
　【００１２】
　（１１）は、後端をリヤアクスルケース（８）の上部に連結しながら、側面視隆起状に形成したパイプ状の後部フレームで、上部位置にてリヤフェンダ（１２）や運転者用座席（１３）を装着している。そして、後部フレーム（１１）の前側部は、アッパーフレーム（１）の左右後端（１−１）とＴ字状に交わって一体的に連結されていると共に、同後部フレーム（１１）の左右の前端部はロアーフレーム（１０）の中間位置（１０−１）で、かつ、機体の略中間位置にてＴ字状に交わりながら一体的に連結されている。
　【００１３】
　（１４）はエンジンプーリで、ミッションケース（５）の入力プーリ（１５）との間にＶベルト（１６）を巻掛けて連動連結している。（１７）はアッパーフレーム（１）の上面に位置させた広幅状のステップ兼用のケーシング体で、後側はリヤフェンダ（１２）と一体的に接続されていると共に、床面、変速ガイド板等を兼用すべく、ＦＲＰ等の高剛性を有する合成樹脂により作成されている。
　【００１４】
　（１８）は変速レバーで、ステアリングシャフト（３）の近傍に位置している。（２３）は昇降リンク機構であって、後部フレーム（１１）の後部位置にリンク支持ブラケット（２４）を設けて左右一対のリフトアーム（２５）の基部を枢着している。（２６）は、ロアーフレーム（１０）の中間に基部（２６−１）を枢着すると共に、先端をリフトアーム（２５）の上部支軸（２７）との間に装着した昇降シリンダである。（２８）は昇降リンク機構（２３）の上部リンクで前端をリフトアーム（２５）の上部支軸（２７）に連結されながら、後端は植付フレーム（２９）の上部に軸架した横軸（３０）に枢支されている。
　【００１５】
　（３１）は下部リンクで、前端をリンク支持ブラケット（２４）に枢着されながら、後端は植付フレーム（２９）の下部に軸架した連結支軸（３２）に枢支されている。
　【００１６】
　そして、上部リンク（２８）及び下部リンク（３１）並びにリフトアーム（２５）、そして、植付フレーム（２９）とにより平行リンクを構成している。
　【００１７】
　植付部（Ｃ）は、上記植付フレーム（２９）の上方に配設した苗載台（３３）上に複数分の苗載部を設け、各苗載部に苗を載置して、各載置苗を、植付駆動ケース（２２）の後部に設けた植付機構部（３４）の作動により圃場に植付けるようにしている。
　【００１８】
　そして、苗載台（３３）は、植付駆動ケース２２に支持させると共に、一定のストロークで左右方向に往復移動自在としており、苗載台（３３）のストロークエンドにおいて、載置苗を所定量づつ縦送りする縦送り装置（図示せず）を設けている。（３５）は、植付駆動ケース（２２）の前部に、機体前後方向に設ける入力軸で、後端に駆動ベベルギヤ（３６）を固着している。（３７）は、植付駆動ケース（２２）内に横方向に設ける植付主軸で、中央に従動ベベルギヤ（３８）を固着して前記駆動ベベルギヤ（３６）と噛合自在となっている。（３９）は、植付主軸（３７）の左側に軸支する植付主軸スプロケットで、上記植付主軸（３７）は、左右両側をボールベアリング（４０−１）（４０−２）により回転自在に支持されている。そして、植付主軸（３７）の右端は、植付駆動ケース（２２）の外側に突出しながら、横送り駆動歯車（４１）を装着している。
　【００１９】
　また、（４２）は、植付主軸（３７）と平行に位置する横送り軸で、右端に横送り従動歯車（４３）を装着している。
　【００２０】
　そして、上記横送り駆動歯車（４１）と横送り従動歯車（４３）とは、植付駆動ケース（２２）の右側（ａ）に外装された横送り切換ギヤケース（４４）に内装されている。
　【００２１】
　また、横送り軸（４２）は、左右両側をボールベアリング（４５−１）（４５−２）により回転自在に支持されている。
　【００２２】
　そして、横送り軸（４２）の左側には、横送りネジ（４６）を連結すると共に、同横送りネジ（４６）は植付駆動ケース（２２）の左側壁より横外方へ延出させて突出状態に配置している。
　【００２３】
　横送り軸（４２）の中央には縦送り駆動ギヤ（４７）を軸支しており、横送りネジ（４６）の外周面には、横移動用コマ受け部材（図示せず）をスライド自在に嵌合させる往復螺旋溝（４６ａ）を形成して、苗載台（３３）を左右方向に往復させる横送りを可能としている。
　【００２４】
　また、（４８）は、横送り軸（４２）に平行して位置する縦送り軸で、右側に前記縦送り駆動ギヤ（４７）に噛合する縦送り従動ギヤ（４９）を軸支している。
　【００２５】
　そして、同縦送り軸（４８）の右側には、連結継手（５０−１）（５０−２）を介して苗載台（３３）に設けた縦送り装置を縦送り駆動する縦送りカム軸（５１）を配設しており、同縦送りカム軸（５１）には縦送りカム（５２）を一体的に突設して、同縦送りカム（５２）が前記縦送り装置を縦送り駆動する操作部材（図示せず）に対して、前記苗載台（３３）が左右の移動端に位置する度に間欠的に係合作動するするようにしている。しかも、縦送りカム軸（５１）は、その縦送りカム（５２）部分が前記植付駆動ケース（２２）の左右方向での横一側外方に位置する状態で配設し、この縦送りカム軸（５１）の一端を、前記植付駆動ケース（２２）内の駆動機構に連動連結すると共に、植付駆動ケース（２２）の左側壁より外側方へ突出状態に配置して連結している。
　【００２６】
　さらには、縦送りカム軸（５１）の横一側外方への延出端は、植付駆動ケース（２２）に連結パイプ（７１）を介して連結しかつ左右方向での植付範囲の一側の外端近くに配置した駆動軸ケース（７２）の外端近傍に配置している。そして、植付駆動ケース（２２）に連結する横長姿勢の連結パイプ（７１）と前記横送りネジ（４６）とを互いに平行姿勢に配置し、この連結パイプ（７１）と横送りネジ（４６）との間に前記縦送りカム軸（５１）を配置しているまた、縦送りカム軸（５１）の左端は、ボールベアリング（５３−１）により回転自在に支持されている。縦送り軸（４８）の両端は、ボールベアリング（５２−１）（５２−２）により回転自在に支持されている。
　【００２７】
　ここで、上記横送りネジ（４６）及び縦送りカム軸（５１）は、植付駆動ケース（２２）の左側（ｂ）位置にて連結されているものである。
　【００２８】
　また、植付駆動ケース（２２）の後部には、植付駆動スプロケット（５４）を回転自在に軸支して、無端チェン（５５）を介して前記植付主軸スプロケット（３９）と連動連結している。
　【００２９】
　（５６）は、植付駆動スプロケット（５４）の内径部に設ける連結継手で左右両側に植付伝動軸（５７）（５７）を連結している。
　【００３０】
　このように、植付伝動軸（５７）（５７）を植付駆動ケース（２２）に連結継手（５６）を介して連結しているため、植付機構部（３４）を植付駆動ケース（２２）に容易に着脱することができる。また、（５８）は、植付伝動軸（５７）の端側に装着するべベルギヤ、（５９）は、同ベベルギヤ（５８）と噛合うべベルギヤで、前記植付伝動軸（５７）に対して直角方向で、かつ、機体後方向に位置する植付アーム駆動軸（６０）の前端に装着されている。（６１）は、植付アーム駆動軸（６０）の後端に装着するベベルギヤ、（６２）は、植付アーム駆動軸（６０）に対して直角方向で、かつ、機体横方向に位置する植付アーム軸で、中央に前記ベベルギヤ（６１）と噛合うべベルギヤ（６３）を装着している。そして、植付アーム駆動軸（６０）の前後に各々ベベルギヤ伝動機構（６４−１）（６４−２）を構成している。
　【００３１】
　また、植付アーム軸（６２）の左右両側にはクランクアーム（６５）（６５）を連結して、同クランクアーム（６５）（６５）には前端に植付爪（６６）を有する植付アーム（６７）を連結している。
　【００３２】
　（６８）は、植付アーム軸（６２）の後方上部に位置する従動アーム支点軸で、両側に従動アーム（６９）を揺動自在に位置させている。（７０）は、植付アーム（６７）の後端と従動アーム（６９）の前端とを連結するアーム取付軸である。そして、植付駆動ケース（２２）の左右両側に連結する植付伝動軸（５７）は、第３図に示す如く、連結パイプ（７１）にて覆われている。
　【００３３】
　また、（７２）は、前後方向に軸線を向けて、植付アーム駆動軸（６０）を覆いながらベベルギヤ伝動機構（６４−１）（６４−２）を連結支持する駆動軸ケースである。（７３）は、左右方向に軸線を向けて、植付アーム軸（６２）を覆う植付アーム軸ケースで、前記駆動軸ケース（７２）の後部に略直交させて一体的に連通連設している。
　【００３４】
　そして、連結パイプ（７１）と駆動軸ケース（７２）と植付アーム軸ケース（７３）は、それぞれ円形パイプ状となしている。
　【００３５】
　このようにして、各軸（５７）（６０）（７２）を被覆する連結パイプ（７１）及び各ケース（７２）（７３）を、剛性を確保したまま軽量化かつコンパクト化することができて、この点からも植付機構部（３４）の植付駆動ケース（２２）への組付け・取り外し作業を容易なものとすることができる。
　【００３６】
　また、（７４）は、従動アーム支点軸（６８）を支持する支点軸ケースで、第５図に示す如く、調整板（７５）によって植付アーム軸ケース（７３）に対して前後方向に位置変更自在に取付けられている。（７６）は、調整板（７５）の基部に設ける円弧状長孔、（７７）は、植付アーム軸ケース（７３）に固着する取付座、（７８）は固定用ボルトである。
　【００３７】
　そして、支点軸ケース（７４）を植付アーム軸（６２）を中心に前後に回転移動させることにより、従動アーム支点軸（６８）の位置が変わり、第４図に示す如く、植付アーム（６７）及び植付爪（６６）の回動軌跡が調節可能となる。
　【００３８】
　これにより、植付爪（６６）による苗の縦取量の調節が可能となるものである。
　【００３９】
　また、（７９）は、従動アーム支点軸（６８）の両側を支持するボールベアリングで、第６図に示す如く、広幅状に一体化された支点軸ケース（７４）に装着されている。
　【００４０】
　また、第７図は苗載台（３３）の取付状態を示すものであって、同苗載台（３３）を断面円形の駆動軸ケース（７２）にて支持しており、（７９）は、駆動軸ケース（７２）の上部に突設する支持板で、上部に上下方向に長孔（８０）を形成している。（８１）は、苗載台（３３）の苗取出板（３３−１）に突設する突状ピンで、前記長孔（８０）に嵌装されている。（８２）は、駆動軸ケース（７２）の外周に回動可能に嵌装する回動アームで、横向きに作動板（８３）を設け、下側には連結板（８４）を突設している。そして、作動板（８３）には固定ピン（８５）を下向きに設けている。
　【００４１】
　（８６）は、苗取出板（３３−１）の下側左右に各々突設する上下調節板で、横向き状の切欠溝（８７）を設けながら前記固定ピン（８５）を嵌装している。
　【００４２】
　（８８）は、苗載台（３３）を上下動させて苗の取出量を調節する調節レバーで、支点軸（８９）を中心に左右に移動可能となっている。（９０）は、調節レバー（８８）の下端に設ける作動ロッドで、前記回動アーム（８２）の連結板（８４）に連結している。（９１）は連結ピン、（９２）は取付ピン、（８８−１）は調節用目盛板である。
　【００４３】
　そして、前記調節レバー（８８）を右方向に回動させると、回動アーム（８２）が右方向に回動して、苗載台（３３）は下方に移動し、苗の取出量は増大するものである。また、調節レバー（８８）を左方向に回動させると、苗載台（３３）は上方に移動して、苗の作動量は少なくなるものである。
　【００４４】
　そして、この場合は苗載台（３３）の上下調節用の回動アーム（８２）などが駆動軸ケース（７２）に軸支されているので、苗取出量の調節を行う操作リンクの軸受部が不要であって、構造がコンパクトとなるものである。
　【００４５】
　また、苗載台（３３）の支持部材が断面円形の駆動軸ケース（７２）により兼用されているから、軸受としての剛性が高く、苗載台（３３）を安定した状態で支持することができるものである。
　【００４６】
　また、第８図は、苗載台（３３）を支持するサイドフレームの取付構造を示すものであって、（９３）は、植付駆動ケース（２２）に固定する植付取付台、（９４）は、植付取付台（９３）の前方に設けるローリングシャフトで昇降リンク機構（２３）に連結されている。
　【００４７】
　（９５）は、植付取付台（９３）の上部に連結するＵ字状のサイドフレームで左右一体となっている。そして、サイドフレーム（９５）の上部には苗載台支持用の支持ローラ（９６）を装着している。したがって、この場合は、サイドフレーム（９５）が左右一体形となっているために、左右の支持ローラ（９６）の位置にズレが生じず苗載台（２３）を常時スムーズに往復移動させることができ、また、苗載台（３３）がねじれ状に取付くようなことがないものである。
　【００４８】
　本発明の実施例は上記のように構成しているものであり、苗載台（３３）の左右移動量を変更して苗取量を調節する場合は、植付駆動ケース（２２）の右側面（ａ）に連結する横送り切換ギヤケース（４４）を取出して、横送り駆動歯車（４１）及び横送り従動歯車（４３）の歯車比を変更して再度組付けることにより、横送り軸（４２）及び横送りネジ（４６）の回転速度を変更する。
　【００４９】
　これにより、横送りネジ（４６）に連動連結する苗載台（３３）の移動量が変更させるものである。
　【００５０】
　また、苗載台（３３）の苗の縦取量を調節する場合は、植付駆動ケース（２２）に接続する植付機構部（３４）の従動アーム支点軸（６８）を、植付アーム軸（６２）を中心に前後に回動させて変更することにより、植付爪（６６）の回動軌跡を変更させながら、苗の縦取量を調節自在とするものである。
　【００５１】
　以上の如く、本発明による場合は、植付駆動ケース（２２）の右側（ａ）に苗取り量の調節を行う横送り切換ギヤケース（４４）を外装して、同植付駆動ケース（２２）の側面位置にて組替え可能としているために、横送り量の調節が容易でありながら植付駆動ケース（２２）を軽量、かつ、コンパクトにできると共に、前後バランスが最適状態に改善されるものである。
　【００５２】
　そして、植付部全体の組立が容易となり、かつ、植付爪（６６）のタイミング合せが容易化されるものである。
　【００５３】
　また、横送りネジ（４６）と縦送りカム軸（５１）が植付駆動ケース（２２）の左側（ｂ）にまとめて位置するために、入力軸（３５）の偏心を含めて重量配分が良好となり、さらに、軸受部がサイドフレーム（９５）近傍に位置するので、植付フレーム（２９）が機能的に構成できるものである。
　【００５４】
　また、本発明は、植付駆動ケース（２２）に連結する植付伝動軸（５７）と、植付機構部（３４）の植付アーム軸（６２）とを接続する植付アーム駆動軸（６０）を断面円形のパイプ状駆動軸ケース（７２）にて覆うものであるから、同駆動軸ケース（７２）を構造簡単に構成できて、重量軽減を図ることができるものである。
　【００５５】
　さらに、植付機構部（３４）において、先端に支点軸ケース（７４）を取付けた調整板（７５）の基部を前後方向に揺動自在に取付けて、支点軸ケース（７４）及び従動アーム支点軸（６８）を前後方向に変更可能として植付爪（６６）の軌跡を変更し、これにより苗の縦取量を調節自在としているから、同苗の縦取量の調節機構全体が簡単となり、したがって、部品点数が削減されると共に、調節方法が確実であるといった優れた効果を奏するものである。
　【００５６】
　【効果】
　本発明によれば、次のような効果が得られる。すなわち、本発明では、植付駆動ケースに、苗載台を左右方向に往復横移動させる横送りネジと、苗載台に設けた縦送り装置を縦送り駆動する縦送りカム軸とを連動連結しているため、横送りネジや縦送りカム軸を植付駆動ケースに内装しているものに比して、同植付駆動ケースの小型化が図れる。しかも、横送りネジと縦送りカム軸は、
植付伝動軸を連結した
同一側壁
　
また、本発明によれば、植付伝動軸を植付駆動ケースに連結継手を介して連結しているため、植付機構部を植付駆動ケースに容易に着脱することができ、植付機構部の植付駆動ケースへの組付け・取り外し作業を容易なものとすることができる。
【図面の簡単な説明】
　【図１】本発明を装備する乗用田植機の全体側面図。
　【図２】植付部の動力伝動機構図。
　【図３】植付部の要部平面図。
　【図４】植付機構部の拡大側面図。
　【図５】同要部の斜視図。
　【図６】植付機構部の支点軸ケースの断面図。
　【図７】苗載台の取付部を示す背面図。
　【図８】苗載台を支持するサイドフレームの取付構造を示す斜視図。
　【符号の説明】
　（Ｃ）　：植付部
　（２２）：植付駆動ケース
　（３３）：苗載台
　（３４）：植付機構部
　（４４）：横送り切換ギヤケース
　（４６）：横送りネジ
　（５１）：縦送りカム軸
　（５７）：植付伝動軸
　（６０）：植付アーム駆動軸
　（６２）：植付アーム軸
　（６４−１）：ベベルギヤ伝動機構
　（６４−２）：べベルギヤ伝動機構
　（６６）：植付爪
　（６８）：従動アーム支点軸